【手続補正書】
【提出日】平成18年3月9日(2006.3.9)
【手続補正１】
【補正対象書類名】明細書
【補正対象項目名】発明の名称
【補正方法】変更
【補正の内容】
【発明の名称】往復注文搬送装置
【手続補正２】
【補正対象書類名】明細書
【補正対象項目名】特許請求の範囲
【補正方法】変更
【補正の内容】
【特許請求の範囲】
【請求項１】  注文飲食客に注文飲食物を移送する往復注文搬送装置であって、該往復注文搬送装置は注文飲食物を前後方向に往復移動可能であり、注文飲食物が注文飲食客の座席位置まで移送されたときに、前記往復注文搬送装置の駆動を停止する手段を備えることを特徴とする往復注文搬送装置。
【請求項２】  注文飲食客に注文飲食物を移送する往復注文搬送装置であって、該往復注文搬送装置は注文飲食物を前後方向に往復移動可能であり、注文飲食物が注文飲食客の座席位置まで移送されたときに、停止部材を注文飲食物運搬体に当接してその移送を阻止する手段を備えることを特徴とする往復注文搬送装置。
【請求項３】  前記往復注文搬送装置はリニアモータ駆動の吊り下げ式搬送である請求項項１または２に記載の往復注文搬送装置。
【請求項４】  前記往復注文搬送装置は、飲食客エリア内を飲食物を載置して循環する無端状の循環搬送路の近傍に設けられている請求項１ないし３の何れかに記載の往復注文搬送装置。
【請求項５】  前記無端状の循環搬送路は対面式カウンターに配備され、前記往復注文搬送装置は前記カウンターの中間部上方に設けられている請求項４に記載の往復注文搬送装置。
【請求項６】  注文飲食客の対面側の飲食客の視界から前記注文飲食物を遮る目隠し板を注文飲食物運搬体に設けた請求項５に記載の往復注文搬送装置。
【請求項７】  前記対面式カウンターの飲食客に対応して前記往復注文搬送装置を２つ並設した請求項５に記載の往復注文搬送装置。
【請求項８】  目隠し板を前記２つの往復注文搬送装置間に立設した請求項７に記載の往復注文搬送装置。
【請求項９】  前記注文飲食物を停止する手段は、注文飲食物を停止した時に、注文飲食客に告知する手段を作動させる請求項１ないし８のいずれかに記載の往復注文搬送装置。
【請求項１０】  前記注文飲食物を停止する手段は、注文飲食物が採られた後は該停止手段の作動を解除する請求項１ないし９のいずれかに記載の往復注文搬送装置。
【請求項１１】  前記注文飲食物を停止する手段は、注文飲食物が所定時間以上停止している場合に、該停止手段の作動を解除し、注文飲食物を前記往復注文搬送装置より排除する請求項１ないし９のいずれかに記載の往復注文搬送装置。
【請求項１２】  前記往復注文搬送装置は、飲食客エリア内を飲食物を載置して循環する無端状の循環搬送路の近傍に設けられ、前記往復注文搬送装置より排除される注文飲食物は、該往復注文搬送装置より前記飲食客エリア内を循環する無端状の循環搬送路に移送される請求項１１に記載の往復注文搬送装置。
【請求項１３】  前記飲食客の座席近傍には注文伝達手段が配備されている請求項１ないし１２の何れかに記載の往復注文搬送装置。
【手続補正３】
【補正対象書類名】明細書
【補正対象項目名】０００１
【補正方法】変更
【補正の内容】
【０００１】
【発明の属する技術分野】
本発明は、注文飲食客に注文飲食物を移送する往復注文搬送装置に関する。
【手続補正４】
【補正対象書類名】明細書
【補正対象項目名】０００６
【補正方法】変更
【補正の内容】
【０００６】
本発明は、上記問題点を解決するためになされたもので、人手を掛けずに注文飲食物を注文飲食客に確実に送り届けることができる専用の往復注文搬送装置を提供することを目的としている。
【手続補正５】
【補正対象書類名】明細書
【補正対象項目名】０００７
【補正方法】変更
【補正の内容】
【０００７】
【課題を解決するための手段】
上記目的を達成するために、本発明の往復注文搬送装置は、注文飲食客に注文飲食物を移送する往復注文搬送装置であって、該往復注文搬送装置は注文飲食物を前後方向に往復移動可能であり、注文飲食物が注文飲食客の座席位置まで移送されたときに、前記往復注文搬送装置の駆動を停止する手段を備えることを特徴としている。
この特徴によれば、注文した飲食物が注文飲食物載置台により送り届けられるので、人手が掛からず、しかも注文飲食者のところで飲食物が停止するので、見逃してしまうようなことがないとともに、座席位置と駆動による移動距離を関連付けることで、注文飲食物を注文飲食客の席のところに正確に搬送することができる。
【手続補正６】
【補正対象書類名】明細書
【補正対象項目名】０００８
【補正方法】変更
【補正の内容】
【０００８】
上記本発明の往復注文搬送装置は、注文飲食客に注文飲食物を移送する往復注文搬送装置であって、該往復注文搬送装置は注文飲食物を前後方向に往復移動可能であり、注文飲食物が注文飲食客の座席位置まで移送されたときに、停止部材を注文飲食物運搬体に当接してその移送を阻止する手段を備えることを特徴としている。
この特徴によれば、注文した飲食物が注文飲食物載置台により送り届けられるので、人手が掛からず、しかも注文飲食者のところで飲食物が停止するので、見逃してしまうようなことがないとともに、往復注文搬送装置の駆動を停止することなく注文飲食物を停止できるので、次の注文飲食物の搬送において、搬送装置の再起動の必要がない。
【手続補正７】
【補正対象書類名】明細書
【補正対象項目名】０００９
【補正方法】変更
【補正の内容】
【０００９】
上記本発明の往復注文搬送装置において、前記往復注文搬送装置はリニアモータ駆動の吊り下げ式搬送であるのが好ましい。
このようにすると、往復注文搬送装置をリニアモータ駆動とすることで搬送時の騒音が抑えられるため飲食客エリアの環境を向上することができる。
【手続補正８】
【補正対象書類名】明細書
【補正対象項目名】００１０
【補正方法】変更
【補正の内容】
【００１０】
上記本発明の往復注文搬送装置において、前記往復注文搬送装置は、飲食客エリア内を飲食物を載置して循環する無端状の循環搬送路の近傍に設けられているのが好ましい。
このようにすると、飲食客は通常の循環搬送路により搬送されている飲食物を採れることに加え、注文した飲食物が注文飲食物載置台により送り届けられるので、人手が掛からず、しかも注文飲食者のところで飲食物が停止するので、見逃してしまうようなことがない。
【手続補正９】
【補正対象書類名】明細書
【補正対象項目名】００１１
【補正方法】変更
【補正の内容】
【００１１】
上記本発明の往復注文搬送装置において、前記無端状の循環搬送路は対面式カウンターに配備され、前記往復注文搬送装置は前記カウンターの中間部上方に設けられているのが好ましい。
このようにすると、往復注文搬送装置がカウンターより高いところにあるので、通常の循環型飲食物搬送路と区別でき、途中で注文飲食物が誤って他の飲食客に採られてしまうことが防げる。
【手続補正１０】
【補正対象書類名】明細書
【補正対象項目名】００１２
【補正方法】変更
【補正の内容】
【００１２】
上記本発明の往復注文搬送装置において、注文飲食客の対面側の飲食客の視界から前記注文飲食物を遮る目隠し板を前記注文飲食物運搬体に設けるのが好ましい。
このようにすると、注文飲食物が停止したときに、注文飲食物運搬体に設けた目隠し板で注文飲食物が隠されるので、対面側の飲食客が誤って注文飲食物を採ってしまうようなことは起きない。
【手続補正１１】
【補正対象書類名】明細書
【補正対象項目名】００１３
【補正方法】変更
【補正の内容】
【００１３】
上記本発明の往復注文搬送装置において、前記対面式カウンターの飲食客に対応して前記往復注文搬送装置を２つ並設するのが好ましい。
このようにすると、対面する両飲食客に対して別個独立して注文飲食物を搬送することができる。
【手続補正１２】
【補正対象書類名】明細書
【補正対象項目名】００１４
【補正方法】変更
【補正の内容】
【００１４】
上記本発明の往復注文搬送装置において、目隠し板を前記２つの往復注文搬送装置間に立設するのが好ましい。
このようにすると、対面側の飲食客は目隠し板でその注文飲食物が見えないので誤って採ってしまうようなことは起きない。
【手続補正１３】
【補正対象書類名】明細書
【補正対象項目名】００１５
【補正方法】変更
【補正の内容】
【００１５】
上記本発明の往復注文搬送装置において、前記注文飲食物を停止する手段は、注文飲食物が停止した時に、注文飲食客に告知する手段を作動させるのが好ましい。
このようにすると、ランプやブザー等の告知手段により注文飲食物が届いたことを注文飲食客に知らせることができる。
【手続補正１４】
【補正対象書類名】明細書
【補正対象項目名】００１６
【補正方法】変更
【補正の内容】
【００１６】
上記本発明の往復注文搬送装置において、前記注文飲食物を停止する手段は、注文飲食物が採られた後は該停止手段の作動を解除するのが好ましい。
このようにすると、次に待機させていた注文飲食物を直ちに搬送することができる。
【手続補正１５】
【補正対象書類名】明細書
【補正対象項目名】００１７
【補正方法】変更
【補正の内容】
【００１７】
上記本発明の往復注文搬送装置において、前記注文飲食物を停止する手段は、注文飲食物が所定時間以上停止している場合に、該停止手段の作動を解除し、注文飲食物を前記往復注文搬送装置より排除するのが好ましい。
このようにすると、他の飲食客の注文に対し長く待たせることなく対応できる。
【手続補正１６】
【補正対象書類名】明細書
【補正対象項目名】００１８
【補正方法】変更
【補正の内容】
【００１８】
上記本発明の往復注文搬送装置において、前記往復注文搬送装置は、飲食客エリア内を飲食物を載置して循環する無端状の循環搬送路の近傍に設けられ、前記往復注文搬送装置より排除される注文飲食物は、該往復注文搬送装置より前記飲食客エリア内を循環する無端状の循環搬送路に移送されるのが好ましい。
このようにすると、注文飲食物を無駄にすることなく再利用できる。
【手続補正１７】
【補正対象書類名】明細書
【補正対象項目名】００１９
【補正方法】変更
【補正の内容】
【００１９】
上記本発明の往復注文搬送装置において、前記飲食客の座席近傍には注文伝達手段が配備されているのが好ましい。
このようにすると、インターフォン等の注文伝達手段により飲食客は手軽に注文できる。
【手続補正１８】
【補正対象書類名】明細書
【補正対象項目名】００７１
【補正方法】変更
【補正の内容】
【００７１】
（ａ）請求項１項の発明によれば、注文した飲食物が注文飲食物載置台により送り届けられるので、人手が掛からず、しかも注文飲食者のところで飲食物が停止するので、見逃してしまうようなことがないとともに、座席位置と駆動による移動距離を関連付けることで、注文飲食物を注文飲食客の席のところに正確に搬送することができる。
【手続補正１９】
【補正対象書類名】明細書
【補正対象項目名】００７２
【補正方法】変更
【補正の内容】
【００７２】
（ｂ）請求項２項の発明によれば、注文した飲食物が注文飲食物載置台により送り届けられるので、人手が掛からず、しかも注文飲食者のところで飲食物が停止するので、見逃してしまうようなことがないとともに、往復注文搬送装置の駆動を停止することなく注文飲食物を停止できるので、次の注文飲食物の搬送において、搬送装置の再起動の必要がない。
【手続補正２０】
【補正対象書類名】明細書
【補正対象項目名】００７３
【補正方法】変更
【補正の内容】
【００７３】
（ｃ）請求項３項の発明によれば、往復注文搬送装置をリニアモータ駆動とすることで搬送時の騒音が抑えられるため飲食客エリアの環境を向上することができる。
【手続補正２１】
【補正対象書類名】明細書
【補正対象項目名】００７４
【補正方法】変更
【補正の内容】
【００７４】
（ｄ）請求項４項の発明によれば、飲食客は通常の循環搬送路により搬送されている飲食物を採れることに加え、注文した飲食物が注文飲食物載置台により送り届けられるので、人手が掛からず、しかも注文飲食者のところで飲食物が停止するので、見逃してしまうようなことがない。